(57)【要約】【課題】  路面の変動に対するスイングアームの追従性を好適に保ちつつ、パーキング用ブレーキキャリパを付加することができるブレーキ装置を提供すること。【解決手段】  制動用ブレーキキャリパ３３とパーキング用ブレーキキャリパ３５のそれぞれを、スイングアーム１の上下に分けて配置し、かつ、車軸２１の前方に配置する。このとき、パーキング用ブレーキキャリパ３５を、スイングアーム１の下側に配置し、制動用ブレーキキャリパ３３をスイングアーム１の上側に配置する。【選択図】        図１
2006103380.tif 000002
【特許請求の範囲】
【請求項１】
制動用ブレーキキャリパとパーキング用ブレーキキャリパとを備えた自動二輪車のブレーキ装置において、それぞれのキャリパをスイングアームの上下に分けて配置すると共に、それぞれのキャリパを車軸の前方に配置したことを特徴とするブレーキ装置。
【請求項２】
前記パーキング用ブレーキキャリパは、機械式ブレーキキャリパであることを特徴とする請求項１記載のブレーキ装置。
【請求項３】
前記パーキング用ブレーキキャリパを、前記スイングアームの下側に配置したことを特徴とする請求項１または２記載のブレーキ装置。
【請求項４】
前記パーキング用ブレーキキャリパは、前記制動用ブレーキキャリパと比較して小型であることを特徴とする請求項３記載のブレーキ装置。
【発明の詳細な説明】
【技術分野】
【０００１】
本発明は、制動用ブレーキキャリパとパーキング用ブレーキキャリパとを備えた自動二輪車のパーキングブレーキ装置に関し、さらに詳しくは、各ブレーキキャリパの取り付け位置の改良に関する。
【背景技術】
【０００２】
自動二輪車のブレーキ装置は、制動用ブレーキ装置とは別に、パーキング用ブレーキ装置を設けた自動二輪車が既に提案されている。
このパーキング用ブレーキを設けた自動二輪車は、たとえば、後輪を揺動可能に支持するスイングアームに、かつ、後輪軸より上方にパーキング用ブレーキキャリパを取り付けると共に、バーハンドル下方に、パーキング用ブレーキキャリパと連動するパーキングレバーを設けている。さらに、後輪側の制動用ブレーキキャリパは、車軸より後方のスイングアーム下側に取り付けられている。
（例えば特許文献１参照）。
【０００３】
【特許文献１】特開２００２―１５４４６９号公報（第３頁、図２）
【発明の開示】
【発明が解決しようとする課題】
【０００４】
この上記した先行の自動二輪車は、ユーザーフレンドリィな自動二輪車として極め好適なものであるが、スイングアームにパーキング用ブレーキキャリパと言う新たな構成部材を付加したことで、後輪廻りの慣性モーメントが僅かながら大きくなる。しかも、後輪側の制動用ブレーキキャリパは、車軸より後方のスイングアームに取り付けられて、スイングアームの揺動中心軸から離れた位置となっていることから、後輪廻りの慣性モーメントの増大化を助長する結果となっていた。
【０００５】
そこで、本発明は、路面の変動に対するスイングアームの追従性を好適に保ちつつ、パーキング用ブレーキキャリパを付加することができるブレーキ装置を提供することを目的とする。
【課題を解決するための手段】
【０００６】
上記技術的課題を達成するために、本発明にかかるブレーキ装置は、下記の技術的手段を講じた。
すなわち、請求項１にかかるブレーキ装置は、制動用ブレーキキャリパとパーキング用ブレーキキャリパとを備えた自動二輪車のブレーキ装置において、それぞれのキャリパをスイングアームの上下に分けて配置すると共に、それぞれのキャリパを車軸の前方に配置したことを特徴とする。
請求項２にかかるブレーキ装置は、請求項１において、前記パーキング用ブレーキキャリパは、機械式ブレーキキャリパであることを特徴とする。
請求項３にかかるブレーキ装置は、請求項１または２において、前記パーキング用ブレーキキャリパを、前記スイングアームの下側に配置したことを特徴とする。
請求項４にかかるブレーキ装置は、請求項３において、前記パーキング用ブレーキキャリパは、前記制動用ブレーキキャリパと比較して小型であることを特徴とする。
【発明の効果】
【０００７】
請求項１によれば、すべてのブレーキキャリパを車軸よりも前側に配置して、スイングアームの揺動中心軸とそれぞれのブレーキキャリパとの距離を短くしたから、後輪廻りの慣性モーメントが小さくなり、路面の変動に対するスイングアームの追従性を向上できる。また、ブレーキホースやケーブルなどが短く済むので、車体の軽量化につながる共に、コスト的にも有利なブレーキ装置を提供できる。
【０００８】
請求項２によれば、パーキング用ブレーキキャリパを機械式ブレーキキャリパとしたことで、油圧ブレーキを用いる場合に比べて部品点数が少なくて済みコストが安くなる。
【０００９】
請求項３によれば、スイングアームの下側にパーキング用ブレーキキャリパを配置したことで、スイングアームが雨よけとなって、パーキング用ブレーキキャリパへの汚れが付きにくくなる。また、必然的に、メンテナンス頻度の高い制動用ブレーキキャリパがスイングアームの上側になるから、整備性の良いブレーキ装置を提供できる。
【００１０】
請求項４によれば、制動用ブレーキキャリパと比較して小型のパーキング用ブレーキキャリパを採用することで、降雨からの影響を最小限にとどめることができ、また、全体のバランスに違和感が生じることなく、体裁の良いブレーキ装置が提供できる。
【発明を実施するための最良の形態】
【００１１】
次に、本発明にかかるブレーキ装置の実施の形態を説明する。なお、本実施の形態にかかるブレーキ装置は、縦置きＶ型エンジンを搭載した自動二輪車に組み込んだ状態を例示しており、要部であるブレーキ装置以外の構成の詳細な説明は省略する。なお、図中、符号Ａは自動二輪車を、符号３はブレーキ装置を示す。
【００１２】
本実施の形態にかかるブレーキ装置３を組み込んだ自動二輪車Ａの構成を説明すると、スイングアーム１と、後輪駆動部２と、ブレーキ装置３と、車体フレーム４と、縦置きＶ型エンジン５と、ショックアブソーバー６と、後輪７と、バーハンドル８と、燃料タンク９と、運転者が着座するシート１０と、フロントサスペンション１１と、前輪１２とを備えて構成されている。
【００１３】
スイングアーム１は、棒状部材で所要形状に形設された車体フレーム４に揺動可能に支持されると共に、縦置きＶ型エンジン５から出力される回転出力を伝達するプロペラシャフト（図示せず）が内装された筒状に形成されており、後述する後輪駆動部２とブレーキ装置３、ショックアブソーバー６等を介して後輪７を片持ち支持するようになっている。
【００１４】
後輪駆動部２は、図２に示すように、プロペラシャフト先部に設けられたウォームギア（図示せず）と、後述するブレーキディスク３２が螺着された車軸２１と、そのウォームギアに噛合されると共に車軸２１と噛合されたウォームホイール２２と、車軸２１の端面に螺着されたブレーキディスク３２の上から車軸２１に螺着されたタイヤホイール２３と、を備えてなる。
【００１５】
ブレーキ装置３は、車体フレーム４に枢着されたショックアブソーバー６に枢着されると共にスイングアーム１の先端部に設けられ、オイルが充填されるように椀状に形成されたギアケースカバー３１と、車軸２１に螺着される共に車軸２１の端面とタイヤホイール２３とで挟持されたブレーキディスク３２と、ギアケースカバー３１に支持され油圧駆動によってブレーキディスク３２を挟み込む油圧式の制動用ブレーキキャリパ３３と、ギアケースカバー３１に支持されケーブル３４の引き動作によってブレーキディスク３２を挟み込む機械式のパーキング用ブレーキキャリパ３５と、を備えてなる。
【００１６】
この機械式のパーキング用ブレーキキャリパ３５は、図３に示すように、ケーブル３４の引き動作によって、軸３５１が回動し、この軸３５１と連係させたブレーキパッド３５２間の間隔が狭まることによって、ブレーキディスク３２を挟み込み、ブレーキングを行う周知の構造のものであり、図１に示すように、スイングアーム１の下側かつ車軸２１の前方となる所要位置にギアケースカバー３１に一体的に形成された取付ブラケット３５３に螺着されている。
なお、パーキング用ブレーキキャリパ３５を機械式とすることで、長期に亘って安定したパーキングブレーキ性能を維持することが可能であり、さらに、油圧ブレーキを用いる場合に比べて部品点数も少なくて済みコストの低減にも繋がるからである。
【００１７】
この制動用ブレーキキャリパ３３は、図１に示すように、スイングアーム１の上側かつ車軸２１の前方なる所要位置にギアケースカバー３１に一体的に形成された取付ブラケット３５４に螺着されている。
この上記したパーキング用ブレーキキャリパ３５は、制動用ブレーキキャリパ３３と比較して小型であり、上記したようにパーキング用ブレーキキャリパ３５は、スイングアーム１の下側かつ車軸２１の前方に配置されており、スイングアーム１の揺動中心軸とそれぞれのブレーキキャリパとの距離が可能な限り短くなるように配置されている。
【００１８】
制動用ブレーキキャリパ３３とパーキング用ブレーキキャリパ３５を、上記した配置とすることで、後輪廻りの慣性モーメントが小さくなり、路面の変動に対するスイングアーム１の追従性が向上する。また、ブレーキホースやケーブル３４などが従来のブレーキ装置３と比較して短く済むので、車体の軽量化につながると共に生産コストも低く抑えることができる。
【００１９】
また、スイングアーム１が雨よけとなって、パーキング用ブレーキキャリパ３５が汚れを少なくすることができ、メンテナンス頻度の高い制動用ブレーキキャリパ３３がスイングアーム１の上側としたことから整備性が向上する。
【００２０】
以上のように自動二輪車Ａに組み込まれたブレーキ装置３は、右側フットレスト（図示せず）前方に配置されたリアブレーキペダル（図示せず）の踏動することで制動用ブレーキキャリパ３３がブレーキディスク３２を挟み込んで後輪７を制動し、バーハンドル８側のクラッチレバー１３近傍に設けられたパーキングブレーキレバー１４（ケーブル３４を引っ張った状態を固定及び解除可能に構成されている）を引動することで、パーキング用ブレーキキャリパ３５がブレーキディスク３２を挟み込んで、後輪７をロックする。なお、このパーキングブレーキレバー１４の取り付け位置は、特に限定されず、車体の任意の位置に設けても良いものである。
【００２１】
以上、本実施の形態にかかるブレーキ装置を説明したが、上述した実施の形態は、本発明の好適な実施の形態の一例を示すものであり、本発明はそれに限定されるものではなく、その要旨を逸脱しない範囲内において、種々変形実施が可能である。
【００２２】
例えば、パーキング用ブレーキキャリパを油圧式ブレーキキャリパとしても良く、さらに、制動用ブレーキキャリパと同一のものを用いて構成しても良いものである。
【図面の簡単な説明】
【００２３】
【図１】本実施の形態にかかるブレーキ装置を自動二輪車に組み込んだ状態を示した側面図である。
【図２】要部の拡大縦断図である。
【図３】パーキング用ブレーキキャリパの拡大縦断図である。
【符号の説明】
【００２４】
Ａ  自動二輪車
Ｂ  後輪部
１  スイングアーム
２  後輪駆動部
３  ブレーキ装置
４  車体フレーム
５  縦置きＶ型エンジン
６  ショックアブソーバー
７  後輪
８  バーハンドル
２１  車軸
２２  ウォームホイール
２３  タイヤホイール
３１  ギアケースカバー
３２  ブレーキディスク
３３  制動用ブレーキキャリパ
３４  ケーブル
３５  パーキング用ブレーキキャリパ
【図１】
2006103380.tif 000003
【図２】
2006103380.tif 000004
【図３】
2006103380.tif 000005
【手続補正書】
【提出日】平成16年10月6日(2004.10.6)
【手続補正１】
【補正対象書類名】図面
【補正対象項目名】図３
【補正方法】変更
【補正の内容】
【図３】
2006103380.tif 000006